(57)【要約】      （修正有）【課題】ベルトの中間部に配置するベルト調節具を不要にして部品の点数を減らし、かつ、ベルトの長さの調節を容易にし、しかも、ベルトの製縫作業を一切不要とするベルト締結具を提供する。【解決手段】ベルト８の少なくとも一端部に連結されるベルト締結具である。このベルト締結具は、前方のフック連結部３と後方のベルト掛止部６とを一体に形成して構成する。上記ベルト掛止部６は、ベルト８を挿通する三つのスリット状長孔７を備える。それらのスリット状長孔７を後方から順に第一スリットＳ１、第二スリットＳ２、及び第三スリットＳ３と規定し、上記ベルト８の一端部を第一スリットＳ１、第二スリットＳ２、及び第三スリットＳ３に順次挿通するとともに、再び第一スリットＳ１に逆向きに挿通して構成する。【選択図】図１
0003173479.tif 000002
【実用新案登録請求の範囲】
【請求項１】
ベルト（８）の少なくとも一端部に連結されるベルト締結具（１）であって、このベルト締結具（１）は、前方のフック連結部（３）と後方のベルト掛止部（６）とを一体に形成して成り、上記ベルト掛止部（６）は、ベルト（８）を挿通する三つのスリット状長孔（７・７・７）を備え、それらのスリット状長孔（７・７・７）を後方から順に第一スリット（Ｓ１）、第二スリット（Ｓ２）、及び第三スリット（Ｓ３）と規定し、上記ベルト（８）の一端部を第一スリット（Ｓ１）、第二スリット（Ｓ２）、及び第三スリット（Ｓ３）に順次挿通するとともに、再び第一スリット（Ｓ１）に逆向きに挿通して構成した、ことを特徴とするベルト締結具。
【請求項２】
請求項１に記載したベルト締結具において、
上記第一スリット（Ｓ１）のスリット幅（Ｌ１）が第二スリット（Ｓ２）及び第三スリット（Ｓ３）のスリット幅（Ｌ２・Ｌ３）よりも相対的に大きく形成された、ことを特徴とするベルト締結具。
【考案の詳細な説明】
【技術分野】
【０００１】  本考案は、ベルトの長さを調節して締結することができるベルト締結具に関する。
【背景技術】
【０００２】  この種の手段として、例えば特許文献１に示すもの（以下「従来例」という）に示すものが知られている。ここで、図３はベルトの両端部にフック連結具を備える従来例を示し、図３（Ａ）はその正面図、図３（Ｂ）はその平面図で要部を破断して示す。
この従来例は、ベルト８の両端にフック連結具１５を設けると共にそれらのフック連結具１５・１５の間にベルト調節具２０を設け、必要に応じてそのベルト８の長さを調節するように構成したものである。【０００３】  そして上記従来例では、ベルト８の一端は左方のフック連結具１５の掛止部１６に掛け回して縫製により掛止し、ベルト８の他端は右方のフック連結具１５のベルト掛止部１６に掛け回し、次いで上記ベルト調節具２０のベルト掛止部２１に掛け回して縫製により掛止してある。ここで「フック連結具」とは、一方が鈎状で他方がリング状の一組の連結具のうちの、いずれか一方を備える連結具を意味する。そして図３（Ａ）（Ｂ）では鈎状のフック１７を備えるフック連結具の場合を示している。なお、符号Ｈは縫製部分を示す。【０００４】
【特許文献１】特開２００１−１９７９１７号
【考案の開示】
【考案が解決しようとする課題】
【０００５】  この従来例では、ベルト８の両端部が、それぞれフック連結具１５の掛止部１６とベルト調節具２０の掛止部２１に掛け回して縫い付けてあることから、以下のような不都合がある。即ち、ベルト８の両端部をフック連結具１５やベルト調節具２０の掛止部１６・２１に掛け回して縫製する作業（以下「製縫作業」という）が不可欠である。また、ベルト８の中間部にベルト調節具２０を配置せざるを得ないため、ベルト８の掛け回しの手順を間違えてはならず大変煩わしい。しかも、ベルト８の中間部のベルト調節具２０によりベルト８の長さを調節するため、そのベルト８の長さの調節が容易でない。【０００６】  本考案は上記のような難点を解消するためになされたもので、ベルト８の中間部に配置するベルト調節具２０を不要にして部品の点数を減らし、かつ、ベルト８の長さの調節を容易にし、しかも、ベルト８の製縫作業を一切不要とするベルト締結具を提供すること、をその目的とする。
【課題を解決するための手段】
【０００７】  本考案は前記課題を解決するものとして以下のように構成される。
即ち、本考案は、ベルト８の少なくとも一端部に連結されるベルト締結具１であって、このベルト締結具１は、前方のフック連結部３と後方のベルト掛止部６とを一体に形成して成り、上記ベルト掛止部６は、ベルト８を挿通する三つのスリット状長孔７・７・７を備え、それらのスリット状長孔７・７・７を後方から順に第一スリットＳ１、第二スリットＳ２、及び第三スリットＳ３と規定し、上記ベルト８の一端部を第一スリットＳ１、第二スリットＳ２、及び第三スリットＳ３に順次挿通するとともに、再び第一スリットＳ１に逆向きに挿通して構成した、ことを特徴とするベルト締結具１である。【０００８】  また、本考案の他の特徴は、上記第一スリットＳ１のスリット幅Ｌ１が第二スリットＳ２及び第三スリットＳ３のスリット幅Ｌ２・Ｌ３よりも相対的に大きく形成される。
【考案の効果】
【０００９】  本考案のベルト締結具１によれば、後部のベルト掛止部６がベルト８を挿通する三つのスリット状長孔７を備え、ベルト８の一端部を第一スリットＳ１、第二スリットＳ２、及び第三スリットＳ３に順次挿通する際にベルト８の長さを調節する。そして再び第一スリットＳ１にベルト８の一端部を逆向きに挿通することにより当該ベルト８を緩むことなく掛け止めることができる。これによりベルト８の中間部に配置していた従来例のベルト調節具２０が不要になり、ベルト８の長さの調節が容易になる。また、ベルト８の製縫作業が一切不要になる。これにより全体としてベルト締結具１を簡素な構成で安価に実施することができる。【００１０】  また、本考案の付加構成では、ベルト８を二重に挿通することとなる第一スリットＳ１のスリット幅Ｌ１が、第二スリットＳ２及び第三スリットＳ３のスリット幅Ｌ２・Ｌ３よりも相対的に大きく形成されるので、ベルト８を第一スリットＳ１に逆向きに挿通するのが容易になり、ひいてはベルト８の長さを一端部で調節することができる。つまり、従来例のベルトの中間位置でベルト調節具２０により調節するものに比較してベルトの長さの調節が容易になる。
【考案を実施するための最良の形態】
【００１１】  以下、本考案の好ましい実施形態について添付図面を参照しながら詳細に説明する。なお、以下の実施形態では、技術的に好ましい種々の部材が付加されているが、本考案の技術的範囲は、以下の説明において特に限定する旨の記載がない限り、これらの態様に限られるものではない。【００１２】  図１は本考案の実施形態に係るベルト締結具の使用状態を示す要部の斜視図、図２はベルト８の両端部に上記ベルト締結具１を備える使用例を示し、図２（Ａ）はその正面図、図２（Ｂ）はその平面図で要部を破断して示す。このベルト締結具１は、例えばＬＰガスボンベの転倒防止用の結束ベルトに用いられることを意図して製作されたものであるが、その用途はこれに限るものではない。【００１３】  このベルト締結具１は、ベルト８の少なくとも一端部に連結されるもので、図示するように、前方のフック連結部３と後方のベルト掛止部６とを鋼鈑材で一体に形成して構成されている。前方のフック連結部３は、後述する鈎状のフック連結具１０とで一組の連結具を構成する。即ち、前方のフック連結部３は、上記ベルト掛止部６と一体に構成された前方鋼鈑部分２の所要部を直角（ベルト掛止部６に対して水平）に折り曲げて形成される。このフック連結部３にはリング状の連結孔４が空けられ、この連結孔４に上記連結具１０の鈎状部分１３が掛け止められる。【００１４】  上記フック連結部３の先端部分５は鈍角に折り曲げられている。この折り曲げ先端部分５は相手方のフック連結具１０の鈎状部分１３との連結強度を補強することを意図したものである。上記フック連結具１０は、基鈑部分１１に対して鈎状部分１３を直角に折り曲げて一体に形成され、基鈑部分１１をネジ等で側壁等に固定するように構成されている。なお、上記基鈑部分１１の符号１２はネジ挿通孔を示している。【００１５】  前記ベルト締結具１のベルト掛止部６は、ベルト８を挿通する三つのスリット状長孔７・７・７を備え、それらのスリット状長孔７・７・７を後方から順に第一スリットＳ１、第二スリットＳ２、及び第三スリットＳ３と規定する。そして符号Ｆで示すように、ベルト８の一端部を第一スリットＳ１、第二スリットＳ２、及び第三スリットＳ３に順次挿通するとともに、再び第一スリットＳ１に逆向きに挿通する。【００１６】  つまり、ベルト８の一端部を第一スリットＳ１、第二スリットＳ２、及び第三スリットＳ３に順次挿通する際に、ベルト８の長さを調節する。そして再び第一スリットＳ１にベルト８の一端部を逆向きに挿通することにより当該ベルト８を緩むことなく掛け止めることができる。これによりベルト８の中間部に配置していた従来例のベルト調節具２０が不要になるとともに、ベルトの長さの調節が容易になる。また、従来のベルトの製縫作業が一切不要になる。これにより全体としてベルト締結具を簡素な構成で安価に実施することができる。【００１７】  上記各スリット状長孔７の長さはベルト８の幅よりも若干長く設定され、第一スリットＳ１のスリット幅Ｌ１は、第二スリットＳ２及び第三スリットＳ３のスリット幅Ｌ２・Ｌ３よりも相対的に大きく形成される。因みに上記ベルト８の厚みは略１ｍｍ弱であり、第一スリットＳ１のスリット幅Ｌ１は５ｍｍ、第二���リットＳ２及び第三スリットＳ３のスリット幅Ｌ２・Ｌ３は、それぞれ３ｍｍに設定されている。これは後述するように、ベルト８を二重に挿通することとなる第一スリットＳ１のスリット幅Ｌ１を相対的に大きく形成することで、ベルト８の一端部を第一スリットＳ１に逆向きに挿通するのが容易になり、ひいてはベルト８の一端部でその長さを容易に調節することができるように意図したものである。【００１８】  上記の実施形態では、前方のフック連結部３と後方のベルト掛止部６とを「鋼鈑材」で一体に形成したものについて例示したが、これは加工が容易、かつ、コストが安価である点を考慮したもので、これに限らず他の部材や合成樹脂材等で代替することもできる。
また、前方のフック連結部３がリング状の連結孔４を有するものとして例示したが、これに代えて相手方の連結具１０のような鈎状部分１３を有するものでも差し支えない。要するにフック連結具は、一方が鈎状で他方がリング状の一組の連結具のうちの、いずれか一方を備えるものであれば差し支えない。
【図面の簡単な説明】
【００１９】
【図１】本考案の好ましい実施形態に係るベルト締結具の使用状態を示す要部の斜視図である。
【図２】ベルトの両端部に本考案に係るベルト締結具を備える使用例を示し、図２（Ａ）はその正面図、図２（Ｂ）はその平面図で要部を破断して示す。
【図３】ベルトの両端部にフック連結具を備える従来例を示し、図３（Ａ）はその正面図、図３（Ｂ）はその平面図で要部を破断して示す。
【符号の説明】
【００２０】１…ベルト締結具、３…前方のフック連結部、６…後方のベルト掛止部、７…スリット状長孔、Ｓ１…第一スリット、Ｓ２…第二スリット、Ｓ３…第三スリット、Ｌ１…第一スリットＳ１のスリット幅、Ｌ２…第二スリットＳ２のスリット幅、Ｌ３…第三スリットＳ３のスリット幅、８…ベルト。
【図１】
0003173479.tif 000003
【図２】
0003173479.tif 000004
【図３】
0003173479.tif 000005